(57)【特許請求の範囲】
【請求項１】
施錠対象装置の取付部に開設された取付孔に挿入される挿入部の一端に形成される取付フランジにおいて前記取付部に固定されるシリンダケースと、
シリンダケース内に挿入され、取付フランジの挿入部反対側から突出してシリンダケースの取付孔への非挿入部に露出する操作片を備えたコード変更操作部材の前記操作片への操作により解錠コードの変更が可能なプラグとを有し、
前記コード変更操作部材の操作片が、操作前後において前記取付孔を底面とする直柱体領域内に収容される位置に配置されるコード可変シリンダ錠。
【請求項２】
施錠対象装置の取付部に開設された取付孔に挿入される挿入部の一端に形成される取付フランジにおいて前記取付部に固定されるシリンダケースと、
シリンダケース内に挿入され、取付フランジの挿入部反対側から突出してシリンダケースの取付孔への非挿入部に露出する操作片を備えたコード変更操作部材の前記操作片への操作により解錠コードの変更が可能なプラグとを有し、
前記シリンダケースの取付フランジは挿入部に対して別体に形成されて適宜手段で固定され、
かつ、コード変更操作部材の操作片が、操作前後において前記取付孔を底面とする直柱体領域内に収容される位置に配置されるコード可変シリンダ錠。
【請求項３】
前記プラグの操作角は、前記コード変更操作部材により断接操作可能なクラッチ手段を介して連結されたジョイント部により所定の運用時操作範囲に規制されるとともに、
ジョイント部の連結を解除した状態で許容される運用時操作範囲を超える所定のコード変換回転位置への回転操作によりコードの変更が可能に形成される請求項１または２記載のコード可変シリンダ錠。
【請求項４】
前記ジョイント部はプラグ後端に外嵌合されるとともに、クラッチ手段は、ジョイント部との係合位置側に付勢されてプラグ内に進退自在に収容される係合子を有し、
かつ、コード変更操作部材は、一端に前記係合子を押し下げる押し下げ片を、他端に操作片を曲成して側面視クランク状に形成され、
前記押し下げ片と操作片とがシリンダケースの軸方向中心に対してほぼ対称位置に配置される請求項１、２または３記載のコード可変シリンダ錠。
【請求項５】
前記シリンダケースとプラグは、本体部に延長部を分離可能に連結して形成される請求項１から４のいずれかに記載のコード可変シリンダ錠。
【請求項６】
前記プラグは、解錠キーに形成されるコード形成凹溝に嵌合するコード形成突起を備えた板状可変タンブラと、この板状可変タンブラに噛合位置可変に噛合し、プラグ内での位置によりシリンダケースに対するプラグの空転を禁止、許容する板状ロックタンブラとを有し、
前記板状可変タンブラは、コード変換回転位置において板状ロックタンブラとの噛合位置の変更が可能な請求項１から５のいずれかに記載のコード可変シリンダ錠。
【発明の詳細な説明】
【技術分野】
【０００１】
本発明は、コード可変シリンダ錠に関するものである。
【背景技術】
【０００２】
分解することなく解錠コードを変更することのできるコード可変シリンダ錠としては、特許文献１に記載のものが知られている。この従来例において、シリンダ錠は、外周シリンダ（シリンダケース）内に内周シリンダ（プラグ）を回転自在に挿入して形成され、シリンダケースに形成される取付フランジにおいて遊技機等の施錠対象装置の取付部に固定される。
【０００３】
プラグの終端にはリセットボタン（コード変更操作部材）への操作により連結解除可能なジョイントカム（ジョイント部）が連結され、ジョイント部が連結された状態でプラグの回転操作角は、ジョイント部と取付フランジとの間で決定される。
【０００４】
上記プラグには噛合位置可変なタンブラ対の複数が装着され、タンブラ対の噛合位置を変更することにより解錠コードの変更がなされる。噛合位置の変更は、所定の角度までプラグを回転操作して行われ、通常の運用状態でのコード変更を防止するために、コード変更用の回転操作角は運用時の回転操作角より大きく設定される。
【０００５】
コード変更は、一旦コード変更操作部材を操作してプラグの回転操作角を運用時の角度に規制しているジョイント部をプラグから切り離した後、プラグを運用時の回転操作角以上に回転させて行われる。
【特許文献１】特開２００５-２３２８００号公報
【発明の開示】
【発明が解決しようとする課題】
【０００６】
しかし、上述した従来例において、コード変更操作部材はシリンダケースの中心から離れた位置に配置されるために、取り付ける施錠対象装置に上記コード変更操作部材の操作、あるいは収容スペースが確保することができない場合が多く、汎用性に極めて欠けるという欠点がある。
【０００７】
本発明は、以上の欠点を解消すべくなされたものであって、種々の施錠対象装置にも取り付けることができるコード可変シリンダ錠の提供を目的とする。
【課題を解決するための手段】
【０００８】
本発明によれば上記目的は、
施錠対象装置の取付部１に開設された取付孔２に挿入される挿入部３の一端に形成される取付フランジ４において前記取付部１に固定されるシリンダケース５と、
シリンダケース５内に挿入され、取付フランジ４の挿入部３反対側から突出してシリンダケース５の取付孔２への非挿入部に露出する操作片１２を備えたコード変更操作部材６の前記操作片１２への操作により解錠コードの変更が可能なプラグ７とを有し、
前記コード変更操作部材６の操作片１２が、操作前後において前記取付孔２を底面とする直柱体領域内に収容される位置に配置されるコード可変シリンダ錠を提供することにより達成される。
【０００９】
コード可変シリンダ錠は、タンブラを収容したプラグ７をシリンダケース５内に挿入して形成され、シリンダケース５の挿入部３を施錠対象装置の取付部１に開設された取付孔２に挿入した後、挿入部３後端（以後、本明細書において、シリンダケース５の挿入孔への挿入方向を「前方」とする。）に設けられる取付フランジ４において取付部１に固定される。
【００１０】
取付状態において、取付フランジ４の後部にはコード変更操作部材６が露出し、このコード変更操作部材６を操作することによりプラグ７を通常の運用モードから、解錠コードを変更するためのコード変更モードに遷移させることができる。
【００１１】
挿入部３を有するシリンダケース５の取り付けに当たって、取付部１には施錠対象装置の種類にかかわらず必ず挿入部３を挿通させる取付孔２が開設されており、取付部１の後方にはシリンダケース５を挿入操作するための移動スペースが設定される。したがって、コード変更操作部材６を、操作前後において取付孔２を底面とする直柱体、すなわち、底面と側面とが直交している柱体領域内に位置するように配置することにより、操作前後において上記移動スペース内にコード変更操作部材６が位置することとなり、他の部品等との干渉も確実に防止でき、汎用性の確保が確実になる。
【００１２】
コード変更操作部材６の配置は、取付孔２により形成される直柱体を基準にすれば足りるが、シリンダケース５の挿入部３の最大断面積部を底面とする直柱体を基準にとると取付孔２の誤差等による影響を受けないために、より確実に取付部１周辺との干渉を防止することができる。
【００１３】
コード可変シリンダ錠における解錠コードの変更は、タンブラの解錠キー１３に対する位置関係を変更することにより行われ、タンブラの変更により、該タンブラの同一の解錠キー１３によってドライブされるプラグ７内の位置、すなわち解錠可能な解錠キー１３が変更される。
【００１４】
錠装置を分解することなく変更可能なタンブラには、周知の種々のものが使用でき、例えば、後に本発明の実施の形態として示すように、プラグ７の径方向に噛合する２枚の板状タンブラ、あるいは上述した従来例に示されるように、プラグ７の長手方向に噛合する２枚の板状タンブラから形成されるもの、さらにはピン状タンブラにより形成されるものが使用できる。
【００１５】
板状タンブラを使用する前２者は、コード変更モードにおいて一方の板状タンブラが一旦噛合解除位置まで移動し、新たに挿入された解錠キー１３に応じて他の板状タンブラとの噛合位置を変更するように構成することができる。これに対し、ピン状のタンブラを使用するものは、コード変更モードにおいて予めシリンダケース５の内周壁に設けたピン収容部とプラグ７のタンブラ挿入孔との間で調整ピンのやりとりを行い、プラグ７内のタンブラの実効長を変化させるように構成することができる。
【００１６】
コード変更操作部材６は、当該コード変更操作部材６への操作によって例えば板状タンブラの噛合解除位置への駆動部材を直接操作して、コード変更モードに移行させるものであっても、あるいは、コード変更モードへの移行操作を可能にするものであってもよい。コード変更操作部材６の操作によってコード変更モードに直接移行させる構成としては、例えば、プラグ７が施錠回転位置、あるいは解錠回転位置等においてシリンダケース５内周壁に退避可能なレトラクタ等の駆動部材を適宜のストッパ手段によりプラグ７内に保持し、コード変更操作部材６への操作によりストッパ手段を解除することにより達成することができる。
【００１７】
これに対し、コード変更操作部材６がコード変更モードへの移行操作を可能にするために使用される場合、コード変更モードへの移行は、コード変更操作部材６に対する操作後、コード変更操作部材６への操作により許容される所定の操作を実行することにより行われる。
【００１８】
このようなコード可変シリンダ錠は、
プラグ７の操作角は、前記コード変更操作部材６により断接操作可能なクラッチ手段８を介して連結されたジョイント部９により所定の運用時操作範囲に規制されるとともに、
ジョイント部９の連結を解除した状態で許容される運用時操作範囲を超える所定のコード変換回転位置への回転操作によりコードの変更が可能に形成されるように構成できる。
【００１９】
以上の構成において、まず、コード変更操作部材６の操作によってプラグ７の回転操作角を運用時の回転角に規制しているジョイント部９が切り離され、プラグ７の回転規制が解除される。この状態でプラグ７は運用時の回転角を超えたコード変換回転位置への回転が可能になり、当該コード変換回転位置においてコード変換モードに移行する。
【００２０】
また、上記取付フランジ４を挿入部１に対して別体に形成し、カシメ、ビス等の適宜手段で固定した場合には、取付フランジ４を施錠対象装置の取付部１の状態に合わせて変更するだけで、種々の施錠対象装置に取り付けることが可能になる。
【発明の効果】
【００２１】
本発明によれば、施錠対象装置によって取り付けフランジを取り替えるだけで種々の施錠対象装置にも取り付けることができるために、汎用性を向上させることができる。
【発明を実施するための最良の形態】
【００２２】
図１にパチンコ等の遊技機用に構成された本発明の実施の形態を示す。この実施の形態において、コード可変シリンダ錠はシリンダケース５と、シリンダケース５内に挿入されるプラグ７とを有する。
【００２３】
図１、２に示すように、プラグ７前端には複数のタンブラ挿入溝１８ａ、１８ａ・・が形成されたプラグ本体１８が配置され、シリンダケース５の前端に配置されるケース本体１９内に挿入される。
【００２４】
プラグ本体１８の各タンブラ挿入溝１８ａ内には、板状可変タンブラ１６と板状ロックタンブラ１７とが挿入される。板状可変タンブラ１６と板状ロックタンブラ１７とは噛合凹凸１６ａ、１７ａを有しており、噛合凹凸１６ａ、１７ａを互いに噛合させることにより相対移動不能に連結される。
【００２５】
また、プラグ本体１８にはサイドバー２０とレトラクタ２１とが各々プラグ本体１８の回転中心方向に進退自在に装着される。これらサイドバー２０とレトラクタ２１とは、プラグ本体１８の長手方向ほぼ全長に渡って配置される長尺体であり、一端がケース本体１９の内周壁に当接し、他端がタンブラ挿入溝１８ａ内に露出した状態でプラグ本体１８の回転中心に対して点対称位置に配置される。
【００２６】
上記板状ロックタンブラ１７は一側辺がタンブラ挿入溝１８ａのサイドバー２０装着側の側壁に当接させた姿勢で装着され、このタンブラ挿入溝１８ａへの側壁摺接辺には、上記サイドバー２０の一端が嵌合可能なロック解除切欠１７ｂが切り欠かれる。これに対し、板状可変タンブラ１６は、一側辺をタンブラ挿入溝１８ａのレトラクタ２１装着側側壁に摺接させて配置され、当該摺接辺に背向してプラグ本体１８のキー挿入部３内に突出するコード形成突起１５が形成される。
【００２７】
プラグ本体１８が初期回転位置にあるときには、図２（ａ）に示すように、図外の付勢手段によりプラグ本体１８からの飛び出し方向に付勢されるサイドバー２０はケース本体１９の内周壁に形成したロック凹溝１９ａ内に落ち込んでおり、プラグ本体１８とケース本体１９の回転境界が閉塞される。この結果、プラグ本体１８に対する回転操作が規制される（施錠状態）。この状態から解錠キー１３をキー挿入部３に挿入すると、解錠キー１３に形成されたコード形成凹溝１４にコード形成突起１５が嵌合する。図２（ｂ）に示すように、解錠キー１３が真正ならば、板状可変タンブラ１６に連結される板状ロックタンブラ１７のロック解除切欠１７ｂがサイドバー２０に正対し、この状態でプラグ本体１８に回転操作力を付与すると、サイドバー２０はプラグ本体１８内に退避し、回転境界を開放する（解錠状態）。
【００２８】
この解錠状態からさらにプラグ本体１８をコード変更回転角（本実施の形態においては初期回転位置から１８０°）まで回転させると、図外の付勢手段によりプラグ本体１８からの飛び出し方向に付勢されたレトラクタ２１は、図２（ｃ）に示すように、ロック凹溝１９ａに落ち込む。レトラクタ２１の径方向への移動により、レトラクタ２１のガイド溝２１ａに係止突部１６ｂが嵌合した板状可変タンブラ１６も径方向に移動し、タンブラ挿入溝１８ａに形成されたガイド溝１８ｂによりレトラクタ２１側への移動が規制された板状ロックタンブラ１７と離れ、噛合凹凸１６ａ、１７ａの噛合が解除される。
【００２９】
この状態で解錠キー１３を挿入し、さらに、新たなコード形成突起１５を有する解錠キー１３を挿入すると、板状可変タンブラ１６のみがコード形成突起１５に追随して移動し、板状ロックタンブラ１７はサイドバー２０がロック解除切欠１７ｂ内に嵌合した状態を維持する。これからプラグ本体１８を初期回転位置に復帰させると、新たな解錠キー１３を挿入した状態で板状ロックタンブラ１７のロック解除切欠１７ｂがサイドバー２０に正対するように２枚のタンブラが噛合し、解錠コード変更操作が完了する。
【００３０】
上記ケース本体１９の後端にはケース延長部２２が連結され、さらにケース延長部２２の後端に取付フランジ４が固定されてシリンダケース５が構成される。ケース本体１９とケース延長部２２は連結ピン２３により軸長方向に連結されて、全体として全長に渡ってほぼ外形寸法が等しい円筒形状の挿入部３を構成する。
【００３１】
上記取付フランジ４は金属板材により形成され、図３に示すように、中心部に開設される角度規制孔４ａを囲むように形成される円弧状の連結孔４ｂを利用してケース延長部２２の後端に連結される。この取付フランジ４を固定するために、ケース延長部２２の後端には上記連結孔４ｂに弾発係止する連結脚２２ａが突設される。この取付フランジ４は、例えば図３（ｄ）に示すように、施錠対象装置が変わると、適宜最適のものが選択されて取り付けられる。
【００３２】
一方、プラグ本体１８の後端には板状の第１プラグ延長部２４と、杆状の第２プラグ延長部２５が連結されてプラグ７が構成される。第２プラグ延長部２５には、ケース延長部２２の後端に開設されたジョイント収容孔２２ｂ内に嵌合され、止め輪２６により抜け止めされたジョイント部９が外嵌合される。このジョイント部９は、クラッチ手段８を介して第２プラグ延長部２５に回転方向に連結され、取付フランジ４の角度規制孔４ａを貫通して取付フランジ４の後方に至る後端には、ビス２７を使用して施錠対象装置に施解錠操作力を伝達するためのロックプレート２８が固定される。
【００３３】
後述するように、クラッチ手段８による第２プラグ延長部２５とジョイント部９との連結状態は通常の運用時において維持されており、解錠キー１３によりプラグ本体１８を運用時における回転ストローク終端まで回転させると、第１、第２プラグ延長部２５、ジョイント部９、およびロックプレート２８が回転し、施錠対象装置を施解錠する。
【００３４】
図３（ｃ）に示すように、運用時におけるプラグ７の回転角度は、ジョイント部９に固定されるピン状の角度規制ストッパ９ａと、角度規制孔４ａのストッパ壁４ｃにより規制される。図３（ａ）、および図２（ａ）に示す初期回転位置から図３（ｂ）、図２（ｂ）に示すように角度規制ストッパ９ａがストッパ壁４ｃに当接するストローク終端位置まで回転させた状態が施錠対象装置の施錠、あるいは解錠回転位置に対応する。
【００３５】
図１、４に示すように、上記クラッチ手段８は、第２プラグ延長部２５に形成された係合子挿入孔２５ａに挿入されて径方向に進退する係合子１０と、係合子１０を飛び出し方向に付勢する圧縮スプリング８ａと、ジョイント部９に形成される係止用切欠８ｂとからなる。係合子１０は一端に細径部１０ａを有した段付きピン形状を有し、図４（ａ）に示すように、細径部１０ａを係止用切欠８ｂに嵌合させることにより第２プラグ延長部２５とジョイント部９を回転方向に連結する。連結状態において係合子１０の太径部１０ｂと細径部１０ａとの境界段部はジョイント部９の内周壁面に当接し、係合子１０の飛び出しストロークを規制する。
【００３６】
上記クラッチ手段８によるジョイント部９とプラグ７との連結を解除するために、コード変更操作部材６が配置される。コード変更操作部材６は、図１に示すように、スライド片６ａの両端に反対方向に折り曲げられる押し下げ片１１と操作片１２とを有して側面視クランク形状に形成される。図４（ｂ）に示すように、コード変更操作部材６はスライド片６ａを上述した取付フランジ４の前面に沿わせて配置され、ジョイント部９は、スライド片６ａの中央部に開設されたジョイント挿通孔６ｂを貫通する。
【００３７】
コード変更操作部材６を係合子１０の移動方向に移動自在とするために、ジョイント挿通孔６ｂは係合子１０の移動方向に長い長孔として形成され、さらに、コード変更操作部材６の移動方向をガイドするために、取付フランジ４には、スライド片６ａの側縁をガイドするガイド用折り返し部４ｄが形成される（図３（ｂ）参照）。
【００３８】
図１に示すように、以上のように形成されるコード変更操作部材６は取付状態において、押し下げ片１１が係合子１０の上面に、操作片１２は、取付フランジ４開設されたボタン挿入開口４ｅを貫通して取付フランジ４の後面から突出する。この状態で操作片１２は後述する取付部１の取付孔２に干渉しない位置、この実施の形態においては、シリンダケース５を正面から見た際に、挿入部３の外周から飛び出さない位置に配置され、操作片１２は、後述するように下方に押し下げた状態で挿入部３の外周から飛び出さない位置に配置される。
【００３９】
したがってこの実施の形態において、コード変更操作部材６の操作片１２を図１、図４（ｃ）に示すように、下方に押し下げると、図４（ｄ）に示すように、押し下げ片１１が係止用切欠８ｂに嵌合して係合子１０をプラグ７内に押し入れる。係合子１０がプラグ７内に押し下げられると、係合子１０の細径部の係止用切欠８ｂとの係止が解除され、以後、図４（ｅ）に示すように、プラグ７はジョイント部９に対して空転可能になる。
【００４０】
一方、取付フランジ４に回転不能に連結されるコード変更操作部材６の操作片１２が係合子１０の係止用切欠８ｂに嵌合すると、以後、ジョイント部９のシリンダケース５に対する回転が規制される。図４（ｅ）に示すように、プラグ７がジョイント部９に対して空転すると、係合子１０もコード変更操作部材６の押し下げ片１１との対向位置から退避するために、コード変更操作部材６は圧縮スプリング８ａによる付勢力から解放され、以後、この位置に保持される。
【００４１】
以上のようにしてコード変更操作部材６が操作されると、プラグ７のジョイント部９による回転角の規制が解除され、以後、プラグ７は運用時回転角（この実施の形態においては、初期回転位置から両側に１３５°）を超えてコード変更回転操作角まで回転可能となり、上述したように、当該回転位置での解錠コードの変更が可能になる。
【００４２】
以上のように構成されるシリンダ錠は、シリンダケース５の取り付けフランジを利用して遊技機に形成された取付部１に固定される。取付部１には取付孔２が開設され、シリンダケース５は、挿入部３を前端から取付孔２に挿通した後、取付部１の背面に取付フランジ４を当接させ、次いで、取付フランジ４に開設されたボルト挿通孔４ｆ（図３参照）を貫通して取付部１にねじ込まれる図示しないボルトにより固定される。
【００４３】
上述したように、取付フランジ４は取付部１に合わせて適宜選択、使用され、さらに、取付部１からシリンダケース５前端までの距離が異なる場合には、図５に示すように、ケース延長部２２と第２プラグ延長部２５を変更するだけで、残余の部品はそのまま流用することができる。
【図面の簡単な説明】
【００４４】
【図１】本発明を示す断面図である。
【図２】図１の２Ａ-２Ａ線断面図で、（ａ）は初期回転位置を示す図、（ｂ）は施錠対象装置に対する施解錠回転位置を示す図、（ｃ）はコード変更途中を示す図である。
【図３】図１の３Ａ方向矢視図で、（ａ）は初期回転位置を示す図、（ｂ）は取付フランジの図３（ａ）における３Ｂ-３Ｂ線断面図、（ｃ）は施錠対象装置に対する施解錠回転位置を示す図、（ｄ）は取付フランジを取り替えた状態を示す図である。
【図４】クラッチ手段の動作を示す図で、（ａ）は運用モードにおける図１の４Ａ-４Ａ線断面図、（ｂ）は運用モードにおける図１の４Ｂ-４Ｂ線断面図、（ｃ）はコード変更操作部材を押し下げた状態における図１の４Ａ-４Ａ線断面図、（ｄ）はコード変更操作部材を押し下げた状態における図１の４Ｂ-４Ｂ線断面図、（ｅ）はコード変更操作の途中を示す図１の４Ａ-４Ａ線断面図である。
【図５】延長部を変化させたシリンダ錠を示す断面図である。
【符号の説明】
【００４５】
１        取付部
２        取付孔
３        挿入部
４        取付フランジ
５        シリンダケース
６        コード変更操作部材
７        プラグ
８        クラッチ手段
９        ジョイント部
１０      係合子
１１      押し下げ片
１２      操作片
１３      解錠キー
１４      コード形成凹溝
１５      コード形成突起
１６      板状可変タンブラ
１７      板状ロックタンブラ
【図１】
0004657089.tif 000002
【図２】
0004657089.tif 000003
【図３】
0004657089.tif 000004
【図４】
0004657089.tif 000005
【図５】
0004657089.tif 000006